(57)【要約】【課題】原稿の搬送中に障害が発生した場合に，障害の原因となった原稿を容易に取り除くことができる原稿搬送装置および原稿読撮り装置および画像複写装置を提供すること。【解決手段】原稿搬送装置は，読み撮り前の原稿が設置される給紙トレイ１と，読み撮り後の原稿が排出される排紙トレイ３とを備えている。そして，給紙トレイ１は，回動軸１１を中心として回動可能である。一方，排紙トレイ３も，回動軸３１を中心として回動可能である。そして，給紙トレイ１および排紙トレイ３を持ち上げることにより，排紙トレイ３の直下に存在する反転部２全体が開放される。このため，反転部２でジャム等の障害が発生したとしても，障害の原因となった原稿を容易に除去することができる。【選択図】　　　　　　図４
2004029066.tif 000002
【特許請求の範囲】
【請求項１】
原稿を搬送して原稿画像読撮りに供する原稿搬送装置において，
一方の端を軸として上方に退避できるように回動可能に設けられた第１トレイと，
前記第１トレイの下方に位置し，通常時は前記第１トレイに覆われるとともに，前記第１トレイを回動させて持ち上げることにより外部に開放される原稿搬送路と，
前記第１トレイの上方に位置し，一方の端を軸として上方に退避できるように回動可能に設けられた第２トレイとを有することを特徴とする原稿搬送装置。
【請求項２】
請求項１に記載する原稿搬送装置において，
前記第１トレイの上面もしくは前記第２トレイの下面に設けられ，前記第１トレイを持ち上げたときに前記第１トレイと前記第２トレイとの間の隙間を維持する突起部を有することを特徴とする原稿搬送装置。
【請求項３】
請求項１または請求項２に記載する原稿搬送装置において，前記第１トレイを，前記原稿搬送路を開放するように持ち上げられた状態に保持する保持手段を有することを特徴とする原稿搬送装置。
【請求項４】
原稿を搬送して画像読撮り部を通過させて画像読撮りに供する原稿搬送装置を有する原稿読撮り装置において，
一方の端を軸として上方に退避できるように回動可能に設けられた第１トレイと，
前記第１トレイの下方に位置し，通常時は前記第１トレイに覆われるとともに，前記第１トレイを回動させて持ち上げることにより外部に開放される原稿搬送路と，
前記第１トレイの上方に位置し，一方の端を軸として上方に退避できるように回動可能に設けられた第２トレイとを有することを特徴とする原稿読撮り装置。
【請求項５】
原稿を搬送して画像読撮り部を通過させて画像読撮りに供する原稿搬送装置を有する画像複写装置において，
一方の端を軸として上方に退避できるように回動可能に設けられた第１トレイと，
前記第１トレイの下方に位置し，通常時は前記第１トレイに覆われるとともに，前記第１トレイを回動させて持ち上げることにより外部に開放される原稿搬送路と，
前記第１トレイの上方に位置し，一方の端を軸として上方に退避できるように回動可能に設けられた第２トレイとを有することを特徴とする原稿複写装置。
【発明の詳細な説明】
【０００１】
【発明の属する技術分野】
本発明は，原稿を搬送して原稿画像読撮りに供する原稿搬送装置および原稿読撮り装置および画像複写装置に関する。さらに詳細には，原稿読撮り位置の上方に原稿載置部や原稿排出部が設けられている原稿搬送装置および原稿読撮り装置および画像複写装置に関するものである。
【０００２】
【従来の技術】
近年，省スペース化の要請から，原稿を側面に排出しないウィングレスタイプの原稿搬送装置が一般化している。また，従来から，原稿を先頭のページから１枚ずつ搬送する原稿搬送装置では，トレイの下方に原稿搬送路の一部を備えているものがある。また，そのような原稿搬送装置では図７の概念図に示すように，原稿搬送路２の上方にある排紙トレイ３が原稿搬送路２の蓋の役割を果たしている。そして，排紙トレイ３は，原稿が排出されてくる側の端を持ち上げることができる。すなわち，排紙トレイ３を持ち上げることで，原稿搬送路２を部分的に外部に開放することができる。これにより，ジャム等の障害が発生した場合に，障害の原因となった原稿を取り除くことができる。
【０００３】
【発明が解決しようとする課題】
しかしながら，前記した従来の原稿搬送装置では以下のような問題があった。すなわち，原稿搬送路２を大きく開放することができない。なぜなら，排紙トレイ３の上方に位置する給紙トレイ１が固定されたままだからである。そのため，排紙トレイ３を開放する際に給紙トレイ１が妨げとなってしまうのである。これにより，ジャム等の障害が発生した場合に，障害の原因となった原稿を取り除くことが困難であった。
【０００４】
本発明は，前記した従来の技術が有する問題点を解決するためになされたものである。すなわちその課題とするところは，原稿の搬送中に障害が発生した場合に障害の原因となった原稿を容易に取り除くことができる原稿搬送装置および原稿読撮り装置および画像複写装置を提供することにある。
【０００５】
【課題を解決するための手段】
この課題の解決を目的としてなされた原稿搬送装置は，原稿を搬送して画像読撮り部を通過させて画像読撮りに供する原稿搬送装置であって，一方の端を軸として上方に退避できるように回動可能に設けられた第１トレイと，第１トレイの下方に位置し，通常時は第１トレイに覆われるとともに，第１トレイを回動させて持ち上げることにより外部に開放される原稿搬送路と，第１トレイの上方に位置し，一方の端を軸として上方に退避できるように回動可能に設けられた第２トレイとを有するものである。
【０００６】
本発明の原稿搬送装置では，第１トレイと，その上方に位置する第２トレイとを有している。そして，第１トレイは，一方の端を軸として上方に退避できるように回動可能である。一方，第２トレイも，一方の端を軸として上方に退避できるように回動可能である。そして，第１トレイ１および第２トレイを持ち上げることにより，第１トレイの下方に存在する原稿搬送路が開放される。すなわち，原稿搬送路を大きく開放できるため，ジャム等の障害が発生した場合に障害の原因となった原稿を容易に除去することができる。なお本発明は，原稿搬送路が，原稿の反転を行う反転部である場合に特にその意義が大きい。反転部では他の箇所より原稿のジャムが発生しやすいからである。また，第１トレイの回動による可動範囲と，第２トレイの回動による可動範囲とに重複があることが好ましい。これにより，第１トレイを持ち上げると第２トレイも持ち上げられることとなるからである。したがって，第１トレイの持ち上げに際し，第２トレイが妨げとなることはないのである。
【０００７】
また，本発明の原稿搬送装置は，第１トレイの上面もしくは第２トレイの下面に設けられ，第１トレイを持ち上げたときに第１トレイと第２トレイとの間の隙間を維持する突起部を有するものであるとよりよい。この突起部により，第１トレイを持ち上げた際に，第１トレイと第２トレイとの間隔を確保することができる。すなわち，第１トレイ上の原稿が両トレイに挟み込まれることがないため，原稿が破損することはない。
【０００８】
また，本発明の原稿搬送装置は，第１トレイを，原稿搬送路を開放するように持ち上げられた状態に保持する保持手段を有するものであるとよりよい。この保持手段により第１トレイを持ち上げた状態で保持できるため，第１トレイをオペレータが支える必要がない。このため，オペレータは両手で作業をすることができ，障害の原因となった原稿を容易で安全に取り除くことができる。
【０００９】
また，本発明の画像読撮り装置は，本発明の原稿搬送装置を備えるものである。このため，ジャム等の障害が発生した場合に障害の原因となった原稿を除去することが容易である。また，本発明の画像複写装置は，本発明の原稿搬送装置を備えるものである。このため，画像複写装置にも上記の効果を発揮させることができる。
【００１０】
【発明の実施の形態】
以下，本発明に係る原稿搬送装置を具体化した実施の形態について図面に基づいて説明する。本形態は，電子写真方式の複写機に本発明を適用したものである。実施の形態における複写機１００は，図１の構成図に示すように大別してイメージリーダ部ＩＲと画像プロセス部ＰＲとを有している。イメージリーダ部ＩＲは複写すべき原稿の画像データを読み取る原稿読撮り装置である。このイメージリーダ部ＩＲは，原稿ガラス１０１上に，原稿を自動的に搬送するための自動原稿搬送装置１０を備えている。画像プロセス部ＰＲは，イメージリーダ部ＩＲから転送されてきた画像データに基づき電子写真プロセスにより画像を形成するものである。
【００１１】
自動原稿搬送装置１０は図２の側面図に示すように，排紙トレイ３と，排紙トレイ３の上方に位置する給紙トレイ１とを備えている。給紙トレイ１は，読み撮り前の原稿を載置するためのものである。一方，排紙トレイ３は，読み撮り後の原稿を収容するためのものである。また，給紙トレイ１の裏面に突起部４を備えている。
【００１２】
また，自動原稿搬送装置１０は図３の断面図に示すように，原稿搬送路の一部に反転部２を有している。この反転部２は，排紙トレイ３の直下に位置している。そして，反転部２では原稿の搬送方向を反転して排出することで，原稿の表裏を反転させることができる。
【００１３】
また，給紙トレイ１は図４の側面図に示すように，下方の通常位置と上方の退避位置との間で，回動軸１１を中心として回動可能である。回動軸１１は給紙トレイ１の給紙方向の端に位置している。一方，排紙トレイ３は，下方の通常位置と上方の退避位置との間で，回動軸３１を中心として回動可能である。回動軸３１も，回動軸１１と同じ側の排紙トレイ３の端に位置している。すなわち，図２に示す通常の使用状態から，給紙トレイ１および排紙トレイ３は，それぞれに対応した軸を中心として持ち上げることができるようになっている。また，排紙トレイ３の回動による可動範囲と，給紙トレイ１の回動による可動範囲とは一部重複している。このため，排紙トレイ３を持ち上げると，途中で突起部４に当接し，以後は給紙トレイ１も持ち上げられることとなる。そして，排紙トレイ３を持ち上げることにより，図４に示すように反転部２全体が開放される。なお，給紙トレイ１および排紙トレイ３を持ち上げた状態では，反転部２のうち，原稿が搬送される範囲がほぼ開放されればよい。
【００１４】
また，自動原稿搬送装置１０は，支持棒１２，３２を有している。支持棒１２は，持ち上げた状態の給紙トレイ１を支持するための部材である。一方，支持棒３２は，持ち上げた状態の排紙トレイ３を支持するための部材である。そして，支持棒３２は図５の斜視図に示すように，排紙トレイ３の一方の側に位置している。一方，支持棒１２は，給紙トレイ１の一方の側であって支持棒３２とは反対側に位置している。
【００１５】
次に，排紙トレイ３を持ち上げた状態で保持するための保持手段としての保持機構について，図６の概念図を基に説明する。支持棒３２は，回動軸２１を中心として回動可能である。さらに，支持棒３２の先端部の側面には突起部３６が設けられている。また，排紙トレイ３には側面の裏側に長穴３３，３５が形成されている。さらに，長穴３３には引きばね３４が設置されている。そして引きばね３４は，一端が支持棒３２の突起部３６と接続され，他端が長穴溝３３の排紙トレイ３の持ち上げ時に上方となる側の端部（以下，「上方端部」とする。一方，下方となる側を「下方端部」とする。）と接続されている。また，支持棒３２の先端の突起部３６は，長穴３３に差し込まれている。このため，支持棒３２は長穴３３に沿って移動することができる。なお，支持棒１２によって給紙トレイ１を保持する機構についても，支持棒３２によって排紙トレイ３を保持する機構と同様である。
【００１６】
次に，自動原稿搬送装置１０の原稿搬送動作を，図３の概念図を用いて説明する。なお，自動原稿搬送装置１０では，給紙トレイ１および排紙トレイ３をともに下ろした状態で原稿搬送動作が行われる。まず，給紙トレイ１に配置された原稿が原稿ガラス上に搬送される（図３中▲１▼）。次に，読み撮り後の原稿が反転部２に搬送される（図３中▲２▼）。この反転部２に原稿を退避させることにより，排出後の原稿の表裏を反転させることができる。その後，反転部２で搬送方向を反転させた原稿が排紙トレイ３に搬送される。これにより，給紙トレイ１で表向きに配置された原稿が排紙トレイ３で裏向きに排出される。すなわち，排出後の原稿が給紙トレイ１への載置時と同じページ順に積載される。
【００１７】
次に，反転部２でジャム等の障害が発生した場合に，障害の原因となった原稿を除去するための操作について説明する。まず，排紙トレイ３を持ち上げる。このとき突起部４が排紙トレイ３に当接することにより，給紙トレイ１も併せて持ち上げられる。このようにされているので，２つのトレイを別々に持ち上げる必要がなく，オペレータの操作が容易である。これにより反転部２全体が大きく開放される。また，突起部４により給紙トレイ１と排紙トレイ３との間隔が維持されているため，排紙トレイ３上の原稿が損傷することはない。
【００１８】
次に，排紙トレイ３を持ち上げた状態で保持するための支持棒３２等の動作について説明する。まず，排紙トレイ３を下ろした状態では，支持棒３２は排紙トレイ３の下に寝かされた状態にある。このとき，支持棒３２の突起部３６は，長穴３３の下方端部付近に存在する。すなわち，引きばね３４は，長穴３３の下方端部付近まで引き伸ばされた状態にある。この状態から排紙トレイ３を持ち上げ始めると，支持棒３２の突起部３６は長穴３３に沿って上方に移動する。そして，支持棒３２の先端部が長穴３３の上方端部付近に到達するまで排紙トレイ３を持ち上げると，排紙トレイ３は支持棒３２に支持された状態となる。このとき，支持棒３２の先端部は引きばね３４の引張力により上方に引っ張られている。そのため，排紙トレイ３は自重程度ではひとりでに下がることはない。また，排紙トレイ３を持ち上げるとともに突起部４が排紙トレイ３に当接することにより，給紙トレイ１も併せて持ち上げられる。このとき，排紙トレイ３は排紙トレイ３および給紙トレイ１の自重およびトレイ内に載置された原稿の合計重量でも下がることはない。したがって，排紙トレイ３は持ち上げた状態で保持されるのである。なお，排紙トレイ３を可動範囲の上限まで持ち上げた状態であっても，給紙トレイ１は可動範囲の上限に到達していない。そのため，給紙トレイ１は排紙トレイ３の可動範囲の上限の位置からさらに給紙トレイ１の可動範囲の上限まで持ち上げることができる。さらに，給紙トレイ１を持ち上げた状態で保持することができる。
【００１９】
ここで，排紙トレイ３をオペレータが押し下げると，支持棒３２の先端が引きばね３４の付勢に抗して長穴３３に沿って下方に移動する。そして，支持棒３２が長穴３３の下方端部まで移動することで寝かされた状態になったとき，排紙トレイ３が反転部２の蓋として閉じられたことになる。なお，引きばね３４の引張力は，閉じた状態の排紙トレイ３を自力で持ち上げることができるほど強くはない。
【００２０】
以上詳細に説明したように本形態の複写機は，給紙トレイ１と排紙トレイ３とを備えることとしている。そして，給紙トレイ１は，回動軸１１を中心として回動可能とされている。一方，排紙トレイ３も，回動軸３１を中心として回動可能とされている。このため，排紙トレイ３の持ち上げ時に，給紙トレイ１が持ち上げられることとなる。したがって，排紙トレイ３の持ち上げに際し，給紙トレイ１が妨げとなることはない。これにより，給紙トレイ１および排紙トレイ３が持ち上げられることとなり，排紙トレイ３の直下に存在する反転部２全体が開放されるのである。このため，反転部２でジャム等の障害が発生した場合に，障害の原因となった原稿を容易に除去することができる。よって，原稿の搬送中に障害が発生した場合に障害の原因となった原稿を容易に取り除くことができる原稿搬送装置および原稿読撮り装置および画像複写装置が実現されている。
【００２１】
また，給紙トレイ１の裏面には突起部４を備えることとしている。これにより，排紙トレイ３を持ち上げたときに，給紙トレイ１と排紙トレイ３との間隔を維持することができる。したがって，排紙トレイ上の原稿を破損させることはない。また，給紙トレイ１および排紙トレイ３は，それぞれに対応した支持棒１２，３２により，持ち上げられた状態で保持されるようになっている。このため，ユーザは両手で作業をすることができ，障害の原因となった原稿を容易で安全に取り除くことができる。
【００２２】
なお，本実施の形態は単なる例示にすぎず，本発明を何ら限定するものではない。したがって本発明は当然に，その要旨を逸脱しない範囲内で種々の改良，変形が可能である。例えば，本形態の突起部４は給紙トレイ１の裏面に付設されているが，排紙トレイ３の表面に付設されていてもよい。
【００２３】
また，自動原稿搬送装置１０は，原稿を一旦原稿ガラス上に停止させるタイプのものでもよいし，流し撮りのものであってもよい。また，本形態は複写機に本発明を適用しているものであるがこれに限るものではない。すなわち，スキャナやＦＡＸ等であっても原稿搬送装置を有するものであれば適用可能である。
【００２４】
また，各トレイの保持機構の具体的な構成は異なってもよい。例えば，本形態では引きばね３４によって排紙トレイ３を持ち上げた状態で保持していた。しかし，押しばねによって保持するようにしてもよい。この場合に押しばねは，長穴３３の下方端部と接続される。また他の例としては，本形態では，排紙トレイ３の側面に長穴３３が形成され，反転部２の下の床面に回動軸２１が設けられていた。しかし，排紙トレイ３の側面に回動軸が設けられ，反転部２の下の床面に長穴が形成されていてもよい。この場合に支持棒３２は，反転部２の下の床面に設けられた長穴を移動することとなる。これらのような機構であっても排紙トレイ３を持ち上げた状態で保持することができる。
【００２５】
【発明の効果】
以上の説明から明らかなように本発明によれば，原稿の搬送中に障害が発生した場合に障害の原因となった原稿を容易に取り除くことができる原稿搬送装置および原稿読撮り装置および画像複写装置が提供されている。
【図面の簡単な説明】
【図１】実施の形態に係る複写機の概略構成図である。
【図２】自動原稿搬送装置の構成を示す側面図（通常時）である。
【図３】自動原稿搬送装置の構成を示す断面図である。
【図４】自動原稿搬送装置の構成を示す側面図（反転部の開放時）である。
【図５】自動原稿搬送装置の構成を示す斜視図（反転部の開放時）である。
【図６】給紙トレイを持ち上げた状態で固定するための機構を示す概念図である。
【図７】従来の形態に係る自動原稿搬送装置の反転部を開放した場合の概念図である。
【符号の説明】
１　　　給紙トレイ（第２トレイ）
２　　　反転部（原稿搬送路）
３　　　排紙トレイ（第１トレイ）
１０　　自動原稿搬送装置
１２　　支持棒
３２　　支持棒
１００　複写機（画像複写装置）
【図１】
2004029066.tif 000003
【図２】
2004029066.tif 000004
【図３】
2004029066.tif 000005
【図４】
2004029066.tif 000006
【図５】
2004029066.tif 000007
【図６】
2004029066.tif 000008
【図７】
2004029066.tif 000009